(57)【要約】【課題】番組のジャンル変更時の音声出力の調整を、ユーザに違和感を与えることなく実施できるようにする。【解決手段】放送信号から番組情報を取得する番組情報取得手段と、  前記番組情報取得手段により取得した番組情報を記憶する記憶手段と、  選局操作を検出する選局検出手段と、  前記選局検出手段により選局操作が検出されたときに、音声出力をミュートする制御を実行するとともに、前記選局をされたチャネルの番組のジャンル情報を前記記憶手段に記憶された番組情報から抽出し、抽出した番組のジャンル情報に基づき、音声出力を調整する音声出力制御手段と、を有する。【選択図】  図３
2010157818.tif 000002
【特許請求の範囲】
【請求項１】
放送信号から番組情報を取得する番組情報取得手段と、
前記番組情報取得手段により取得した番組情報を記憶する記憶手段と、
選局操作を検出する選局検出手段と、
前記選局検出手段により選局操作が検出されたときに、音声出力をミュートする制御を実行するとともに、前記選局をされたチャネルの番組のジャンル情報を前記記憶手段に記憶された番組情報から抽出し、抽出した番組のジャンル情報に基づき、音声出力を調整する音声出力制御手段と、を有する
ことを特徴とする放送受信装置。
【請求項２】
放送信号から視聴中番組のジャンル情報を取得するジャンル情報取得手段と、
前記ジャンル情報取得手段により取得された現在視聴中の番組のジャンル情報が変化したときに、変化後のジャンル情報に基づき音声出力を段階的に調整する音声出力制御手段と、を有する
ことを特徴とする放送受信装置。
【請求項３】
前記音声出力制御手段は、前記記憶手段に記憶された番組情報を基に視聴中番組の終了時刻を算出する終了時刻算出手段と、前記記憶手段に記憶された番組情報から視聴中番組の次の番組のジャンル情報を抽出する抽出手段とを含み、前記終了時刻算出手段により算出された視聴中番組の終了時刻より所定の時間間隔前の時刻から、前記抽出手段により抽出した次の番組のジャンル情報に基づき音声出力を段階的に調整する処理を開始することを特徴とする請求項１に記載の放送受信装置。
【請求項４】
前記音声出力制御手段は、オーディオデータから音声の無音状態または小音量状態を検出する無音／小音量検出手段を含み、前記終了時刻算出手段により算出された視聴中番組の終了時刻より所定の時間間隔前の時刻以後、前記無音／小音量検出手段により音声の無音状態または小音量状態が検出された時点から、前記音声出力の段階的調整を開始することを特徴とする請求項３に記載の放送受信装置。
【請求項５】
放送信号から番組情報を取得する番組情報取得工程と、
前記番組情報取得工程において取得した番組情報を記憶手段に記憶する記憶工程と、
選局操作を検出する選局検出工程と、
前記選局検出工程において選局操作が検出されたときに、音声出力をミュートする制御を実行するとともに、前記選局をされたチャネルの番組のジャンル情報を前記記憶手段に記憶された番組情報から抽出し、抽出した番組のジャンル情報に基づき、音声出力を調整する音声出力制御工程と、を有する
ことを特徴とする放送受信装置の出力制御方法。
【請求項６】
放送信号から視聴中番組のジャンル情報を取得するジャンル情報取得工程と、
前記ジャンル情報取得工程において取得された現在視聴中の番組のジャンル情報が変化したときに、変化後のジャンル情報に基づき音声出力を段階的に調整する音声出力制御工程と、を有する
ことを特徴とする放送受信装置の出力制御方法。
【発明の詳細な説明】
【技術分野】
【０００１】
本発明は、放送受信装置およびその出力制御方法に関し、特にはデジタルテレビジョン放送の放送信号を受信しその音声および映像を出力するデジタルテレビジョン放送受信装置およびその出力制御方法に関するものである。
【背景技術】
【０００２】
従来より、視聴中の番組のジャンル情報を元にして、音声出力の制御に用いる音声パラメータを自動的に設定するデジタルＴＶがある（例えば、特許文献１）。音声パラメータには、サラウンド用、ラウドネス用、イコライザ用などがある。これらの音声パラメータを自動的に設定することで、ユーザは番組に適した音声設定をいちいち手動で行うことなく番組に適したオーディオ環境を得ることができる。番組に適したオーディオ環境とは、例えばスポーツであれば臨場感がでるようにサラウンドを利かせた環境であり、ニュースであればアナウンサーの声が聞き取りやすくなるように中域の帯域を強調した環境である。
【０００３】
【特許文献１】特開平０６−１３３２３８号公報
【発明の開示】
【発明が解決しようとする課題】
【０００４】
しかしながら、特許文献１に開示の技術では、音声パラメータの設定タイミングについて考慮されていない。例えば、選局処理が完了した後にジャンル情報を判断して音声パラメータの変更を行うと、パラメータの値を目標値に変更する際に現状値から急峻に（一度に）行われるので、音色・音量等が突然変わり、ユーザに変更したことが認知され違和感を与えてしまう。また、このような変更時の違和感を取り除くために、音声出力および映像出力のミュートの期間を延ばすと、その分、これらの出力が遅れるため好ましくない。
【０００５】
本発明は、上記に鑑みてなされたものであって、番組のジャンル変更時の音声出力の調整を、ユーザに違和感を与えることなく実施でき、また、音声出力の変更時点に用いるミュート期間を短くでき、ユーザの番組視聴の妨げにならない放送受信装置およびその出力制御方法を提供することを目的とする。
【課題を解決するための手段】
【０００６】
上記の目的を達成するために、この発明においては、放送信号から番組情報を取得する番組情報取得手段と、前記番組情報取得手段により取得した番組情報を記憶する記憶手段と、選局操作を検出する選局検出手段と、前記選局検出手段により選局操作が検出されたときに、音声出力をミュートする制御を実行するとともに、前記選局をされたチャネルの番組のジャンル情報を前記記憶手段に記憶された番組情報から抽出し、抽出した番組のジャンル情報に基づき、音声出力を調整する音声出力制御手段と、を有することを特徴とする放送受信装置を提供する。
【０００７】
さらに、放送信号から視聴中番組のジャンル情報を取得するジャンル情報取得手段と、前記ジャンル情報取得手段により取得された現在視聴中の番組のジャンル情報が変化したときに、変化後のジャンル情報に基づき音声出力を段階的に調整する音声出力制御手段と、を有することを特徴とする放送受信装置を提供する。
【０００８】
さらに、放送信号から番組情報を取得する番組情報取得工程と、前記番組情報取得工程において取得した番組情報を記憶手段に記憶する記憶工程と、選局操作を検出する選局検出工程と、前記選局検出工程において選局操作が検出されたときに、音声出力をミュートする制御を実行するとともに、前記選局をされたチャネルの番組のジャンル情報を前記記憶手段に記憶された番組情報から抽出し、抽出した番組のジャンル情報に基づき、音声出力を調整する音声出力制御工程と、を有することを特徴とする放送受信装置の出力制御方法を提供する。
【０００９】
さらに、放送信号から視聴中番組のジャンル情報を取得するジャンル情報取得工程と、前記ジャンル情報取得工程において取得された現在視聴中の番組のジャンル情報が変化したときに、変化後のジャンル情報に基づき音声出力を段階的に調整する音声出力制御工程と、を有することを特徴とする放送受信装置の出力制御方法を提供する。
【発明の効果】
【００１０】
本発明によれば、ユーザに違和感を与えることなく音声出力を調整することができる。また、出力をミュートする際、ミュート期間を従来より短くでき、ユーザの番組視聴の妨げにならないような設計ができる。
【発明を実施するための最良の形態】
【００１１】
以下、図面を参照しながら本発明の実施形態について説明する。
なお、デジタルテレビジョン放送については標準化されており、規格で定められる詳細については本明細書においてその説明を省略する。また、以下に説明する実施形態により本発明が限定されるものではない。
【００１２】
はじめに、図１に、本発明の諸実施形態に係るデジタルテレビジョン放送受信装置１０１の利用環境を示す。
【００１３】
図１に示すように、デジタルテレビジョン放送受信装置１０１は、その入力側にＢＳ／ＣＳデジタル放送受信用のアンテナ１２１と地上波放送受信用のアンテナ１２２が接続され、各種入出力Ｉ／Ｆを介して周辺機器やネットワーク１５０に接続された機器と接続される。また、デジタルテレビジョン放送受信装置１０１は、外部の表示装置や音声出力装置に直接に、またはＡＶアンプ１１０を介して、接続することもできる。ユーザは、デジタルテレビジョン放送受信装置１０１に設けられた操作部（図１にて図示せず）を介して本装置の操作を行えるほか、赤外線通信によるリモートコントローラ１０２を介した操作が可能である。
【００１４】
デジタルテレビジョン放送受信装置１０１は、受信したデジタルテレビジョン放送信号をデコードすることにより放送番組を表示し、ユーザは受信した放送番組を視聴できるようになっている。また、外部の表示装置や音声出力装置を利用して放送番組を視聴できるようにもなっており、受信した放送番組を記録することも可能である。
【００１５】
また、図１（及び後述の図２）に示すデジタルテレビジョン放送受信装置１０１は、ＢＳ／ＣＳデジタル放送受信用と地上波放送受信用の２系統のみ簡易的に図示しているが、マルチチャネルの番組を録画するためＢＳ／ＣＳデジタル放送受信用と地上波放送受信用ともにそれぞれ複数のチューナ等の受信回路を備える構成としてもよい。
【００１６】
続いて、デジタルテレビジョン放送受信装置１０１のハードウェア構成について説明する。図２は、上記したデジタルテレビジョン放送受信装置１０１の主要な信号処理系を示すブロック図である。
【００１７】
ＢＳ／ＣＳデジタル放送受信用のアンテナ１２１で受信した衛星デジタルテレビジョン放送信号は、入力端子２０１を介して衛星デジタル放送用のチューナ２０２ａに供給される。
【００１８】
チューナ２０２ａは、制御部２０５からの制御信号により所望のチャネルの放送信号を選局し、この選局された放送信号をＰＳＫ（Phase Shift Keying）復調器２０２ｂに出力する。
【００１９】
ＰＳＫ復調器２０２ｂは、制御部２０５からの制御信号により、チューナ２０２ａで選局された放送信号を復調し、所望の番組を含んだトランスポートストリーム（ＴＳ）を得て、ＴＳ復号器２０２ｃに出力する。
【００２０】
ＴＳ復号器２０２ｃは、制御部２０５からの制御信号によりトランスポートストリーム（ＴＳ）多重化された信号のＴＳ復号処理を行い、所望の番組のデジタルの映像信号及び音声信号をデパケットすることにより得たＰＥＳ（Packetized Elementary Stream）を信号処理部２０６内のＳＴＤバッファ（図示せず）へ出力する。また、ＴＳ復号器２０２ｃは、デジタル放送により送られているセクション情報を信号処理部２０６内のセクション処理部（図示せず）へ出力する。
【００２１】
一方、地上波放送受信用のアンテナ１２２で受信した地上デジタルテレビジョン放送信号は、入力端子２０３を介して地上デジタル放送用のチューナ２０４ａに供給される。
【００２２】
チューナ２０４ａは、制御部２０５からの制御信号により所望のチャネルの放送信号を選局し、この選局された放送信号をＯＦＤＭ（Orthogonal Frequency Division Multiplexing）復調器２０４ｂに出力する。
【００２３】
ＯＦＤＭ復調器２０４ｂは、制御部２０５からの制御信号により、チューナ２０４ａで選局された放送信号を復調し、所望の番組を含んだトランスポートストリームを得て、ＴＳ復号器２０４ｃに出力する。
【００２４】
ＴＳ復号器２０４ｃは、制御部２０５からの制御信号によりトランスポートストリーム（ＴＳ）多重化された信号のＴＳ復号処理を行い、所望の番組のデジタルの映像信号及び音声信号をデパケットすることにより得たＰＥＳ（Packetized Elementary Stream）を信号処理部２０６内のＳＴＤバッファへ出力する。また、ＴＳ復号器２０４ｃは、デジタル放送により送られているセクション情報を信号処理部２０６内のセクション処理部へ出力する。
【００２５】
ここで、上記信号処理部２０６は、テレビ視聴時には、ＴＳ復号器２０２ｃおよびＴＳ復号器２０４ｃからそれぞれ供給されたデジタルの映像信号及び音声信号に対して、選択的に所定のデジタル信号処理を施し、グラフィック処理部２０７及び音声処理部２０８に出力している。一方、番組録画時には、ＴＳ復号器２０２ｃおよびＴＳ復号器２０４ｃからそれぞれ供給されたデジタルの映像信号及び音声信号に対して、選択的に所定のデジタル信号処理を施した信号を、制御部２０５を介して記録装置（例えば、ＨＤＤ）２７０に記録している。また、信号処理部２０６は、録画番組再生時には、制御部２０５を介して記録装置（例えば、ＨＤＤ）２７０から読み出された録画番組のデータに、所定のデジタル信号処理を施し、グラフィック処理部２０７及び音声処理部２０８に出力している。
【００２６】
制御部２０５には、信号処理部２０６から、番組を取得するための各種データ（Ｂ−ＣＡＳデスクランブル用の鍵情報等）や電子番組ガイド（ＥＰＧ）情報，番組属性情報（番組ジャンル等），字幕情報等（サービス情報、ＳＩやＰＳＩ）が入力されている。信号処理部２０６は、番組情報取得手段、ジャンル情報取得手段としても機能する。制御部２０５は、これら入力された情報からＥＰＧ，字幕を表示するため画像生成処理を行い、この生成した画像情報をグラフィック処理部２０７へ出力する。
【００２７】
また、この制御部２０５は、番組録画および番組予約録画を制御する機能を有し、番組予約受付時には、表示装置２１１に電子番組ガイド（ＥＰＧ）情報を表示し、操作部２２０またはリモートコントローラ１０２を介したユーザ入力により予約内容を所定の記憶手段に設定する。そして、設定された時刻に予約番組を録画するようチューナ２０２ａ，２０４ａ、ＰＳＫ復調器２０２ｂ，ＯＦＤＭ復調器２０４ｂ、ＴＳ復号器２０２ｃ，２０４ｃおよび信号処理部２０６を制御する。
【００２８】
セクション処理部は、ＴＳ復号器２０２ｃ（２０４ｃ）から入力されたセクション情報の中から、番組を取得するための各種データや電子番組ガイド（ＥＰＧ）情報，番組属性情報（番組ジャンル等），字幕情報等（サービス情報、ＳＩやＰＳＩ）を制御部２０５へ出力する。
【００２９】
グラフィック処理部２０７は、（１）信号処理部２０６内のＡＶデコーダ（図示せず）から供給されるデジタルの映像信号と、（２）ＯＳＤ（On Screen Display）信号生成部２０９で生成されるＯＳＤ信号と、（３）データ放送による画像データと、（４）制御部２０５により生成されたＥＰＧ，字幕信号とを合成して映像処理部２１０へ出力する機能を有する。また、字幕放送による字幕を表示するとき、グラフィック処理部２０７は、制御部２０５からの制御による字幕情報に基づき、映像信号上に字幕情報を重畳する処理を行う。
【００３０】
グラフィック処理部２０７から出力されたデジタルの映像信号は、映像処理部２１０に供給される。この映像処理部２１０は、入力されたデジタルの映像信号を、表示装置２１１で表示可能なアナログ映像信号に変換した後、表示装置２１１に出力して映像表示させる。また、出力端子２１２を介して外部の表示装置（図示せず）に、当該表示装置で表示可能なフォーマットの映像信号を出力して映像表示させることもできる。
【００３１】
また、上記音声処理部２０８は、入力されたデジタルの音声信号を、音声出力装置２１３で再生可能なアナログ音声信号に変換した後、音声出力装置２１３に出力して音声を再生させる。また、出力端子２１４を介して外部の音声出力装置（図示せず）に、当該音声出力装置で再生可能なフォーマットの音声信号を出力して音声再生させることもできる。
【００３２】
ここで、このデジタルテレビジョン放送受信装置１０１は、上記した各種の受信動作を含むその全ての動作を制御部２０５によって統括的に制御されている。この制御部２０５は、ＣＰＵ（Central Processing Unit）等を内蔵しており、操作部２２０からの操作情報を受け、または、リモートコントローラ１０２から送出された操作情報を、受光部２２１を介して受信し、その操作内容（例えば、チャネル切換操作など）が反映されるように各部をそれぞれ制御している。
【００３３】
この場合、制御部２０５は、主として、そのＣＰＵが実行する制御プログラムを格納したＲＯＭ（Read Only Memory）２０５ａと、当該ＣＰＵに作業エリアを提供するＲＡＭ（Random Access Memory）２０５ｂと、各種の設定情報、制御情報及び番組情報等が格納されるフラッシュメモリなどの不揮発性メモリ２０５ｃとを利用している。
【００３４】
また、上記制御部２０５は、通信Ｉ／Ｆ２２２を介してＬＡＮ端子２２３に接続されている。これにより、制御部２０５は、ＬＡＮ端子２２３に接続されたＬＡＮ対応の機器（例えば、外付けＨＤＤ）と、通信Ｉ／Ｆ２２２を介して情報伝送することができる。この場合、制御部２０５は、ＤＨＣＰ（Dynamic Host Configuration Protocol）サーバ機能を有し、ＬＡＮ端子２２３に接続されたＬＡＮ対応の機器にＩＰ（Internet Protocol）アドレスを割り当てて制御している。
【００３５】
また、上記制御部２０５は、ＵＳＢ  Ｉ／Ｆ２２４を介してＵＳＢ端子２２５に接続されている。これにより、制御部２０５は、ＵＳＢ端子２２５に接続された各種機器と、ＵＳＢ  Ｉ／Ｆ２２４を介して情報伝送することができる。
【００３６】
さらに、上記制御部２０５は、ｉ．ＬＩＮＫ（登録商標）  Ｉ／Ｆ２２６を介してｉ．ＬＩＮＫ端子２２７に接続されている。これにより、制御部２０５は、ｉ．ＬＩＮＫ端子２２７に接続された各種機器と、ｉ．ＬＩＮＫ  Ｉ／Ｆ２２６を介して情報伝送することができる。
【００３７】
また、制御部２０５は、この発明に係わる機能部として、音声出力制御手段としての音声／映像出力制御機能２５０を備えている。後に、この音声／映像出力制御機能２５０による音声出力制御についてその詳細を説明するが、映像出力についても同様に制御することができる。
【００３８】
ここで、番組情報を取得する手法について述べる。
【００３９】
現在、デジタルテレビジョン放送受像器やデジタルテレビジョン放送録画装置等のデジタルテレビジョン放送受信装置の多くは、電子番組ガイド（EPG:Electronic Program Guide）の機能を備えている。このＥＰＧ機能のために、デジタルテレビジョン放送受信装置は、デジタルテレビジョン放送信号に含まれるイベント情報テーブル(EIT:Event Information Table)から、１週間分の番組情報（この番組情報には、番組の開始時間、継続時間、番組のジャンル等の情報が含まれる）を取得する。
【００４０】
ＢＳ放送や１１０度ＣＳ放送ではいずれかのチャネルを選局することで全チャンネル分の番組情報を取得することができる。地上デジタル放送ではチャンネル毎の番組情報の取得となるため、全チャンネル分の番組情報を取得するには一旦全チャンネルを選局する必要がある。そのため、１個のチューナのみの受信装置においてはユーザが手動で全チャンネルの選局操作を行ったり、ユーザが番組を視聴していない期間に自動で全チャンネル選局を行ったりする必要がある。複数のチューナをもつ受信装置では、ユーザの番組視聴に使われていないチューナを利用して全チャンネルの選局を行い番組情報を取得することが可能である。なお、１週間分の番組情報を記憶するのに必要なメモリサイズは約３Ｍｂｙｔｅｓとなる。
【００４１】
以下に説明する諸実施形態は、このようにして取得した番組情報を利用するものである。既に取得済みの番組情報から得られる番組のジャンル情報を利用するので、音声および映像に所定のエフェクトを与える出力制御に用いる出力制御パラメータの変更タイミングを選局処理期間中に合わせることが可能となり、選局処理中に次に選局する番組のジャンルに適した出力制御パラメータに変更することができる。以下の諸実施形態は、このように出力制御パラメータの変更タイミングに関して考慮したものである。以下では、特に、出力制御パラメータとしての音声パラメータを用いた音声の出力制御について説明するが、映像についても同様に制御することができる。
【００４２】
（実施形態１）
本実施形態は、ユーザがチャネル切換操作を行うことにより視聴する番組のジャンルが変わる場合を想定した例である。以下では、図３を用いて本実施形態における音声／映像出力制御機能２５０の動作を説明する。図３は、音声／映像出力制御機能２５０の動作フローを示すフローチャートである。
【００４３】
はじめに、上述のようにして予め取得している受信可能な全てのチャネルの番組情報から、現時点の各チャネルの番組のジャンル情報を取得する（ステップＳ３０１）。
【００４４】
次いで、ユーザによるチャネル切換操作があるか判断する（ステップＳ３０２）。ここでは、ユーザによるチャネル切換操作があるまで待機するが、その間に番組が変わりそれに伴ってジャンルが変わる可能性があるので、ステップＳ３０１へ戻り、随時、その時点の各チャネルの番組のジャンル情報を取得するようにする。なお、チャネル切換操作は、操作部２２０やリモートコントローラ１０２からの操作情報から制御部２０５によって検出される。
【００４５】
ユーザによるチャネル切換操作があると（ステップＳ３０２でＹｅｓの判定）、ステップＳ３０３に移行し、このステップにて、ステップＳ３０１で取得した各チャネルの番組のジャンル情報の中から、切換先のチャネルの番組のジャンル情報を読み出す。
【００４６】
次いで、ステップＳ３０３で読み出したジャンル情報に基づいて、例えば、図４に示すパラメータテーブルを参照し、読み出したジャンル情報に対応する設定値を、新たな音声パラメータとして設定することにより、音声パラメータを変更する（ステップＳ３０４）。このとき、音声パラメータを現状値から目標値へと変更する際、図５に示すように選局処理期間中に、急峻に行う（一度に音声パラメータ値を変更する）。
【００４７】
図４の例では、チャネル切換により番組のジャンルがスポーツから映画に変わる場合に、ラウドネス用の音声パラメータを０から５に一度に変更する。サラウンド用など他の音声パラメータも同様に８から３へ一度に目標値に変更する。なお、この音声パラメータの増減に比例して、サラウンド等のエフェクトの強度も増減するものとする。
【００４８】
選局期間中（チャネル切換が完了するまで）は、音声ミュートおよび映像ミュートを掛ける制御をする。その間（ミュート中）に音声パラメータの変更を完了させる。なお、チャネル切換前の番組のジャンルとチャネル切換後の番組のジャンルが同一である場合、上記処理では同じ設定値が設定されることとなる。したがってこの場合には、音声パラメータの変更処理を省略するようにする処理フローとしてもよい。
【００４９】
本実施形態では、音声パラメータの変更を選局処理期間中に行うので、その変更をユーザに気づかれずに切り換えることができる。また、選局処理期間を超えて音声ミュートおよび映像ミュートの期間を余分に延ばす必要がないため、選曲された番組のジャンルに合った最適な音声パラメータを設定した上で、速やかに音声および映像を出力することができる。
【００５０】
（実施形態２）
本実施形態は、ユーザが同一のチャネルを連続して視聴している状態において、番組が番組ａから番組ｂに変わってそれに伴い番組のジャンルが異なるものとなった場合を想定した例である。以下では、図６〜８を用いて本実施形態における音声／映像出力制御機能２５０の動作を説明する。図６は、本実施形態における音声／映像出力制御機能２５０の動作フローを示すフローチャートである。図７は、従来技術による連続視聴中に生じた番組のジャンル変更の際の音声パラメータの変更タイミングを示すタイミングチャートであり、図８は、本実施形態での選局時における音声パラメータの変更タイミングを示すタイミングチャートである。
【００５１】
はじめに、現在視聴中のチャネルの受信信号から番組のジャンル情報を取得する（ステップＳ６０１）。取得したジャンル情報はＲＡＭ２０５ｂ等の記憶手段に一時記憶する。
【００５２】
次いで、視聴中の番組のジャンルに変化があるか判断する（ステップＳ６０２）。ここでは、前回取得し記憶手段に記憶しているジャンル情報と今回取得したジャンル情報とを比較することにより、視聴中番組のジャンルの変化を検出する。このとき、ジャンルの変化がないと判定された場合（ステップＳ６０２でＮｏ）、ステップＳ６０１に戻り、番組のジャンルの変化を検出するまでループする。
【００５３】
ステップＳ６０２で、視聴中の番組のジャンルが変化したと判定されると（ステップＳ６０２でＹｅｓ）、変化後のジャンル情報に基づいて、例えば、図４に示すパラメータテーブルを参照し、読み出したジャンル情報に対応する設定値を、新たな音声パラメータとして設定することにより、音声パラメータを変更する（ステップＳ６０３）。このとき、視聴中番組のジャンルの変化を検知してから音声パラメータを変更する際には段階的に変更する。具体的には、図４の例では、視聴中の番組のジャンルがスポーツから映画に変わった場合に、ラウドネス用の音声パラメータを０．５〜１．０秒の間に０→３→５などのように、段階的に変更する。サラウンド用など他の音声パラメータも同様に段階的に目標値に変更する。その後、ステップＳ６０１に戻り、一連の処理を繰り返す。
【００５４】
従来は図７に示すように、番組のジャンルの変化を検知してから音声パラメータを変更する際、急峻に変更していた。図４の例で言うと、視聴中の番組のジャンルがスポーツから映画に変わる場合に、サラウンド用の音声パラメータを８から３に一度に変更していた。また、ラウドネス用など他の音声パラメータも同様に一度に目標値に変更していた。この変更は図７にも示されるようにミュートされていない視聴中に行われるため、音声パラメータの変更が視聴者に認知され、違和感をもたらすものとなっていた。本実施形態では、図８に示すように、音声パラメータの変更を段階的に変化させることで、従来のように急峻な変更を行った場合に比べて、変化時の違和感を軽減することができる。
【００５５】
（実施形態３）
本実施形態は、前述の実施形態２と同様に、ユーザが同一のチャネルを連続して視聴している状態において、番組が番組ａから番組ｂに変わってそれに伴い番組のジャンルが異なるものとなった場合を想定した例である。以下では、図９、１０を用いて本実施形態における音声／映像出力制御機能２５０の動作を説明する。図９は、本実施形態における音声／映像出力制御機能２５０の動作フローを示すフローチャートである。また、図１０は、本実施形態での連続視聴中に生じた番組のジャンル変更の際の音声パラメータの変更タイミングを示すタイミングチャートである。
【００５６】
はじめに、前述のようにして予め取得している受信可能な全てのチャネルの番組情報から番組開始時刻および番組放送時間を得て、これらから現在視聴中の番組の終了時刻を算出する（ステップＳ９０１）。
【００５７】
次いで、取得済みの番組情報から、現在視聴中の番組およびその次に放送される番組のジャンル情報を取得する（ステップＳ９０２）。
【００５８】
次いで、取得済みの番組情報から、現在視聴中の番組から次の番組に移行する際ジャンルが変化するか判断する（ステップＳ９０３）。
【００５９】
ステップＳ９０３にて、現在視聴中の番組から次の番組に移行する際ジャンルが変化すると判定された場合、次のステップＳ９０４にて、現在時刻が、番組終了時刻から所定時間Δｔ（Δｔ＞０）前の時刻となるまで待機する。ここで、所定時間Δｔは、現在視聴中の番組の終了時間に達するまでに、音声パラメータの変更が完了できるように設定されるが、音声パラメータの変更が完了する時刻が、現在視聴中の番組の終了時刻を幾分過ぎるような設定でもよい。
【００６０】
現在時刻が、番組終了時刻から所定時間Δｔ前の時刻となったとき（ステップＳ９０４でＹｅｓ）、ステップＳ９０５に移行し、次番組のジャンル情報に基づいて、例えば、図４に示すパラメータテーブルを参照し、次番組のジャンル情報に対応する設定値を、新たな音声パラメータとして設定することにより、音声パラメータを変更する。このとき、音声パラメータの変更は、前述の実施形態２と同様に段階的に変更する。
【００６１】
ステップＳ９０５での音声パラメータの変更後、ステップＳ９０６に移行し、現在視聴中の番組の終了時刻まで待機し、この時刻を過ぎた段階で（ステップＳ９０５でＹｅｓ）、ステップＳ９０１に戻り、一連の処理を繰り返す。なお、現在視聴中の番組と次の番組が同じジャンルの番組であって、ジャンルが変化しない場合（ステップＳ９０３でＮｏ）、ステップＳ９０３からステップＳ９０６へ移行し、現在視聴中の番組の終了時刻を過ぎた段階で、ステップＳ９０１に戻り、一連の処理を繰り返す。なお、本実施形態では、ステップＳ９０２の処理後、ステップＳ９０３でジャンルが変化すると判定された場合に、ステップＳ９０４以降の処理を行っているが、ステップＳ９０２で、次に放送される番組のジャンル情報のみを取得し、ステップＳ９０３の判断を省略して、視聴中の番組と次に放送される番組間のジャンルの変化がなくとも、そのままステップＳ９０４以降の処理を行うようにしてもよい。
【００６２】
前述の実施形態２は、現在視聴中の番組のジャンルの変化を検知し、変化がある場合に、そのタイミングで音声パラメータを段階的に変化させるものであったが、本実施形態では、既に取得済みの番組情報の番組開始時刻および番組放送時間から、現在視聴中の番組の終了時刻を算出し、上記のようにこの終了時刻前のタイミングで音声パラメータを段階的に変化させている。これは、一般的に、番組の終了時刻付近においては概ね音声が無音もしくは小音量である可能性が高いため、このタイミングを利用し、番組終了時刻の少し前の時刻になったときに、次の番組のジャンル情報に基づいて音声パラメータを変更することとしている。本実施形態では、図１０に示すように、音声パラメータの変更タイミングを、番組終了時刻前の音声レベルの低いとみなせる期間に行うことで、変化時の違和感を上記実施形態２よりも軽減することができる。
【００６３】
（実施形態４）
本実施形態は、実施形態２および実施形態３と同様に、ユーザが同一のチャネルを連続して視聴している状態において、番組が番組ａから番組ｂに変わってそれに伴い番組のジャンルが異なるものとなった場合を想定した例である。以下では、図１１を用いて本実施形態における音声／映像出力制御機能２５０の動作を説明する。図１１は、本実施形態に係る音声／映像出力制御機能の動作フローを示すフローチャートである。また、図１２は、本実施形態での連続視聴中に生じた番組のジャンル変更の際の音声パラメータの変更タイミングを示すタイミングチャートである。
【００６４】
はじめに、前述のようにして予め取得している受信可能な全てのチャネルの番組情報を用いて、この番組情報の番組開始時刻および番組放送時間から、現在視聴中の番組の終了時刻を算出する（ステップＳ１１０１）。
【００６５】
次いで、取得済みの番組情報から、現在視聴中の番組およびその次に放送される番組のジャンル情報を取得する（ステップＳ１１０２）。
【００６６】
次いで、取得済みの番組情報から、現在視聴中の番組から次の番組に移行する際ジャンルが変化するか判断する（ステップＳ１１０３）。
【００６７】
ステップＳ１１０３にて、現在視聴中の番組から次の番組に移行する際ジャンルが変化すると判定された場合（ステップＳ１１０３でＹｅｓ）、次のステップＳ１１０４にて、現在時刻が、番組終了時刻から所定時間Δｔ（Δｔ＞０）前の時刻となるまで待機する。ここで、所定時間Δｔは、現在視聴中の番組の終了時間に達するまでに、音声パラメータの変更が完了できるように設定されるが、音声パラメータの変更が完了する時刻が、現在視聴中の番組の終了時刻を幾分過ぎるような設定でもよい。
【００６８】
現在時刻が、番組終了時刻から所定時間Δｔ前の時刻となったとき（ステップＳ１１０４でＹｅｓ）、ステップＳ１１０５に移行し、番組を構成するデータストリーム中のオーディオデータ（例えば、ＭＰＥＧ２オーディオストリーム）から無音状態もしくは小音量状態を判断する。
【００６９】
ステップＳ１１０５にて無音状態もしくは小音量状態と判定されたときに（ステップＳ１１０５でＹｅｓ）、次番組のジャンル情報に基づいて、例えば、図４に示すパラメータテーブルを参照し、読み出したジャンル情報に対応する設定値を、新たな音声パラメータとして設定することにより、音声パラメータを変更する（ステップＳ１１０６）。このとき、音声パラメータの変更は、前述の実施形態２と同様に段階的に変更する。
【００７０】
ステップＳ１１０６での音声パラメータの変更後、ステップＳ１１０７に移行し、現在視聴中の番組の終了時刻まで待機し、この時刻を過ぎた段階で（ステップＳ１１０７でＹｅｓ）、ステップＳ１１０１に戻り、一連の処理を繰り返す。なお、現在視聴中の番組と次の番組が同じジャンルの番組であって、ジャンルが変化しない場合（ステップＳ１１０３でＮｏ）、ステップＳ１１０３からステップＳ１１０７へ移行し、現在視聴中の番組の終了時刻を過ぎた段階で、ステップＳ１１０１に戻り、一連の処理を繰り返す。なお、本実施形態では、ステップＳ１１０２の処理後、ステップＳ１１０３でジャンルが変化すると判定された場合に、ステップＳ１１０４以降の処理を行っているが、ステップＳ１１０２で、次に放送される番組のジャンル情報のみを取得し、ステップＳ１１０３の判断を省略して、視聴中の番組と次に放送される番組間のジャンルの変化がなくとも、そのままステップＳ１１０４以降の処理を行うようにしてもよい。
【００７１】
前述の実施形態３は、番組の終了時刻という時刻情報を基にしているが、実際のオーディオデータの音量状態を考慮したものでないので、番組によっては番組終了時刻付近で音声が無音もしくは小音量になっていないこともあり得る。本実施形態４はその点をさらに考慮したものであり、図１２に示すように、音声パラメータの変更タイミングを、実際に音声レベルの低いときに行うことで変化時の違和感を前述の実施形態３よりも軽減することができる。
【００７２】
上述の実施形態１〜４は、デジタルテレビジョン放送受信装置１０１本体において前述の音声／映像出力制御を行う構成となっている。以下に説明する諸実施形態における音声／映像出力制御機能２５０は、デジタルテレビジョン放送受信装置１０１本体において、番組情報の取得および番組情報からの番組のジャンル情報の抽出を行うとともに、抽出した番組のジャンル情報および視聴者の視聴状況（選局切換中または視聴中）の、ＡＶアンプ１１０への通知を制御するものとなっている。そして、ＡＶアンプ１１０において、デジタルテレビジョン放送受信装置１０１から通知された番組のジャンル情報および視聴者の視聴状況（選局切換中または視聴中）に基づいて、音声調整のため音声パラメータを変更する。
【００７３】
なお、デジタルテレビジョン放送受信装置１０１からＡＶアンプ１１０への映像信号出力、音声信号出力および各種付加情報の通知など情報伝達はＨＤＭＩ−ＣＥＣ（High Definition Multimedia Interface-Consumer Electronics Control）を介して行う。また、上述の実施形態１〜４においては、一例として図４に示したパラメータテーブルをデジタルテレビジョン放送受信装置１０１がもっていたが、以下の諸実施形態では、ＡＶアンプ１１０側でもつ。
【００７４】
（実施形態５）
本実施形態は、ユーザがチャネル切換操作を行うことにより視聴する番組のジャンルが変わる場合を想定した例である。以下では、図１３，１４を用いて本実施形態における音声／映像出力制御機能２５０およびＡＶアンプ１１０の動作を説明する。図１３は、本実施形態に係る音声／映像出力制御機能の動作フローを示すフローチャートである。また、図１４は、本実施形態および後述する実施形態６ならびにその他の応用例１におけるＡＶアンプ１１０の制御部の動作フローを示すフローチャートである。
【００７５】
はじめに、上述のようにして予め取得している受信可能な全てのチャネルの番組情報から、現時点の各チャネルの番組のジャンル情報を取得する（ステップＳ１３０１）。
【００７６】
次いで、ユーザによるチャネル切換操作があるか判断する（ステップＳ１３０２）。ここでは、ユーザによるチャネル切換操作があるまで待機するが、その間に番組が変わりそれに伴ってジャンルが変わる可能性があるので、ステップＳ１３０１へ戻り、随時、その時点の各チャネルの番組のジャンル情報を取得するようにする。なお、チャネル切換操作は、操作部２２０やリモートコントローラ１０２からの操作情報から制御部２０５によって検出される。
【００７７】
ユーザによるチャネル切換操作があると（ステップＳ１３０２でＹｅｓの判定）、ステップＳ１３０３に移行し、このステップにて、ステップＳ１３０１で取得した各チャネルの番組のジャンル情報の中から、切換先のチャネルの番組のジャンル情報を読み出す。
【００７８】
次いで、接続されているＡＶアンプ１１０に対し、ジャンル情報と場面の情報（本実施形態では、“選局切換中”）の組を通知する（ステップＳ１３０４）。具体的には、視聴者がチャンネル切換操作を行ったとき、切換先のチャンネルの番組のジャンル情報が「スポーツ」である場合、ＡＶアンプに対し「ジャンル：スポーツ，場面：選局切換中」という通知を出す。
【００７９】
ＡＶアンプ１１０はこの通知を受け取り（ステップＳ１４０１）、ステップＳ１４０２にて場面が「選局切換中」であると判定し、ステップＳ１４０３へ移行する。ステップＳ１４０３では、選局処理期間中のミュートが解除される前に、スポーツに適した音声パラメータを設定し音声調整を完了させる。ＡＶアンプ１１０は、受信したジャンル情報に基づいて、例えば、図４に示すパラメータテーブルを参照し、読み出したジャンル情報に対応する設定値を、新たな音声パラメータとして設定することにより、音声パラメータを変更する。このとき、音声パラメータを現状値から目標値へと変更する際、図５に示すように選局処理期間中に、急峻に行う（一度に音声パラメータ値を変更する）。ここでの音声パラメータ変更処理は、前述の音声／映像出力制御機能２５０ではなくＡＶアンプ１１０に備わる制御部（図示せず）が行う点を除いて、前述の実施形態１におけるものと同様である。
【００８０】
本実施形態では、予め取得しておいた番組情報から得られる番組のジャンル情報とともに場面情報として「場面：選局切換中」を通知することで、ＡＶアンプ１１０は選局処理期間後のミュート解除前に、適切な音声調整を行うことができ、ユーザに音質の変化を気づかれないようにすることができる。
【００８１】
（実施形態６）
本実施形態は、ユーザが同一のチャネルを連続して視聴している状態において、番組が番組ａから番組ｂに変わってそれに伴い番組のジャンルが異なるものとなった場合を想定した例である。以下では、図１４，１５を用いて本実施形態における音声／映像出力制御機能２５０およびＡＶアンプ１１０の動作を説明する。図１５は、本実施形態に係る音声／映像出力制御機能の動作フローを示すフローチャートである。
【００８２】
はじめに、現在視聴中のチャネルの受信信号から番組のジャンル情報を取得する（ステップＳ１５０１）。取得したジャンル情報はＲＡＭ２０５ｂ等の記憶手段に一時記憶する。
【００８３】
次いで、視聴中の番組のジャンルに変化があるか判断する（ステップＳ１５０２）。ここでは、前回取得し記憶手段に記憶しているジャンル情報と今回取得したジャンル情報とを比較することにより、視聴中番組のジャンルの変化を検出する。このとき、ジャンルの変化がないと判定された場合（ステップＳ１５０２でＮｏ）、ステップＳ１５０１に戻り、番組のジャンルの変化が検出するまでループする。
【００８４】
ステップＳ１５０２で、視聴中の番組のジャンルが変化したと判定されると、接続されているＡＶアンプ１１０に対し、ジャンル情報と場面の情報（本実施形態では、“視聴中”）の組を通知する（ステップＳ１５０３）。具体的には、視聴者がチャンネル切り換えなどの操作を行っていないときに視聴中の番組のジャンルが変化した場合、検知したジャンル情報が「スポーツ」ならば、ＡＶアンプ１１０に対し「ジャンル：スポーツ，場面：視聴中」という通知を出す。
【００８５】
ＡＶアンプ１１０は、上記通知を受け取り（ステップＳ１４０１）、ステップＳ１４０２にて場面が「視聴中」であると判定し、ステップＳ１４０４へ移行する。ステップＳ１４０４でＡＶアンプ１１０は、視聴中の音声の音質を急激に変化させることのないように、スポーツに適した音声パラメータを段階的に設定し音声調整を少しずつ行う。なお、ここでの音声パラメータ変更処理は、前述の音声／映像出力制御機能２５０ではなくＡＶアンプ１１０に備わる制御部（図示せず）が行う点を除いて、前述の実施形態２におけるものと同様である。
【００８６】
なお、前述の実施形態３のように、音声／映像出力制御機能２５０により、視聴中番組の終了時刻を算出し、この終了時刻前のタイミングで、ＡＶアンプ１１０側で音声パラメータを段階的に変化させるように制御するとより好ましい。この場合、終了時刻前の所定のタイミングで上記通知をする。また、前述の実施形態４のように、音声／映像出力制御機能２５０により、視聴中番組の終了時刻を算出し、ＡＶアンプ１１０側での音声パラメータの変更タイミングを、この終了時刻前の実際に音声レベルの低いときに行わせるよう制御するとさらに好ましい。この場合、終了時刻前の実際に音声レベルの低下（無音状態または小音量状態）が検出されたタイミングで、上記通知をする。
【００８７】
本実施形態では、デジタルテレビジョン放送受信装置１０１本体側で取得した番組のジャンル情報とともに「場面：視聴中」をＡＶアンプ１１０に通知することで、ＡＶアンプ１１０は視聴中の音声の音質を急激に変化させることのないように、適切な音声調整を少しずつ行うことができ、ユーザが音質の変化を意識しないようにすることができる。
【００８８】
（その他の応用例１）
ここでは、ハードディスクやＤＶＤレコーダ等の記録装置を用いて記録した番組を再生する場合を想定した例を示す。以下では、図１４，１６を用いて本応用例における音声／映像出力制御機能２５０およびＡＶアンプ１１０の動作を説明する。図１６は、本応用例に係る音声／映像出力制御機能の動作フローを示すフローチャートである。
【００８９】
本応用例では、デジタルテレビジョン放送受信装置１０１において、受信したデジタルテレビジョン放送の番組のコンテンツを記録装置２７０に記録する際、メタ情報としてそのジャンル情報（例：スポーツ）も同時に記録しておく。このようにメタ情報とともに記録した番組を再生開始するとき、記録されたメタ情報を読み出す（ステップＳ１６０１）。
【００９０】
次いで、接続されているＡＶアンプ１１０に対し、ジャンル情報と場面の情報（本応用例では、“選局切換中”）の組を通知する（ステップＳ１６０２）。具体的には、記録された番組の再生開始時に、記録されたメタ情報が「スポーツ」である場合、ＡＶアンプ１１０に対し「ジャンル：スポーツ，場面：選局切換中」という通知を出す。
【００９１】
ＡＶアンプ１１０はこの通知を受け取り（ステップＳ１４０１）、ステップＳ１４０２にて場面が「選局切換中」であると判定し、ステップＳ１４０３へ移行する。ステップＳ１４０３では、再生開始に伴うミュートが解除される前に、スポーツに適した音声パラメータを設定し音声調整を完了させる。ＡＶアンプ１１０は、受信したジャンル情報に基づいて、例えば、図４に示すパラメータテーブルを参照し、読み出したジャンル情報に対応する設定値を、新たな音声パラメータとして設定することにより、音声パラメータを変更する。このとき、音声パラメータを現状値から目標値へと変更する際、ミュート期間中に、急峻に行う（一度に音声パラメータ値を変更する）。ここでの音声パラメータ変更処理は、前述の音声／映像出力制御機能２５０ではなくＡＶアンプ１１０に備わる制御部（図示せず）が行う点を除いて、前述の実施形態１におけるものと同様である。本応用例では、記録装置２７０に録画した番組に関しても、音声が出力される前に適切な音声調整を行うことができる。
【００９２】
なお、本応用例はＡＶアンプ１１０の使用を前提としているが、記録した番組を再生する際、再生開始から音声調整（音声パラメータの変更）までの処理を、デジタルテレビジョン放送受信装置１０１単体で行うことができる。この場合、上記処理において、デジタルテレビジョン放送受信装置１０１からＡＶアンプ１１０への通知（ステップＳ１６０２）と、ＡＶアンプ１１０におけるデジタルテレビジョン放送受信装置１０１からの通知の受信（ステップＳ１４０１）が省略される。
【００９３】
（応用形態２）
本応用例では、上述した諸実施形態において、ジャンル情報が変化したときやＡＶアンプ１１０にジャンル情報を通知するとき、デジタルテレビジョン放送受信装置１０１の表示画面に、ジャンルを表すメッセージやアイコンを表示する。ジャンル情報が変化したときや、ＡＶアンプ１１０にジャンル情報を通知するとき、表示画面に番組のジャンルを表す表示を行うことにより、ジャンルに関する情報の検出を視聴者に知らせることができる。
【００９４】
以上、本発明の諸実施形態について説明した。なお、本発明は上記諸実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。また、実施形態に示した全構成要素から幾つかの構成要素を削除してもよい。例えば、デジタルテレビジョン放送受信装置１０１の構成要素の内、表示装置２１１および音声出力装置２１３を除外した構成からなるデジタルテレビジョン放送録画装置としても本発明を形成できる。また、上記諸実施形態では音声出力に対する制御についてのみ説明したが、映像出力についても同様の制御が可能である。なお、番組情報は、ジャンル情報を含む情報である。
【図面の簡単な説明】
【００９５】
【図１】本発明の諸実施形態に係るデジタルテレビジョン放送受信装置の利用環境を示す図である。
【図２】同デジタルテレビジョン放送受信装置の主要な信号処理系を示すブロック図である。
【図３】本発明の実施形態１に係る音声／映像出力制御機能の動作フローを示すフローチャートである。
【図４】ジャンル情報と音声パラメータを対応づけたパラメータテーブルの一例を示す図である。
【図５】本発明の実施形態１での選局時における音声パラメータの変更タイミングを示すタイミングチャートである。
【図６】本発明の実施形態２に係る音声／映像出力制御機能の動作フローを示すフローチャートである。
【図７】従来技術による連続視聴中に生じた番組のジャンル変更の際の音声パラメータの変更タイミングを示すタイミングチャートである。
【図８】本発明の実施形態２での連続視聴中に生じた番組のジャンル変更の際の音声パラメータの変更タイミングを示すタイミングチャートである。
【図９】本発明の実施形態３に係る音声／映像出力制御機能の動作フローを示すフローチャートである。
【図１０】本発明の実施形態３での連続視聴中に生じた番組のジャンル変更の際の音声パラメータの変更タイミングを示すタイミングチャートである。
【図１１】本発明の実施形態４に係る音声／映像出力制御機能の動作フローを示すフローチャートである。
【図１２】本発明の実施形態４での連続視聴中に生じた番組のジャンル変更の際の音声パラメータの変更タイミングを示すタイミングチャートである。
【図１３】本発明の実施形態５に係る音声／映像出力制御機能の動作フローを示すフローチャートである。
【図１４】本発明の実施形態５および６ならびに応用例１に係るＡＶアンプの制御部の動作フローを示すフローチャートである。
【図１５】本発明の実施形態６に係る音声／映像出力制御機能の動作フローを示すフローチャートである。
【図１６】本発明に係る応用例１における音声／映像出力制御機能の動作フローを示すフローチャートである。
【符号の説明】
【００９６】
１０１…デジタルテレビジョン放送受信装置、１０２…リモートコントローラ、１１０…ＡＶアンプ、１２１…ＢＳ／ＣＳデジタル放送受信用のアンテナ、１２２…地上波放送受信用のアンテナ、１５０…ネットワーク、２０２ａ、２０４ａ…チューナ、２０２ｂ…ＰＳＫ復調器、２０４ｂ…ＯＦＤＭ復調器、２０２ｃ、２０４ｃ…ＴＳ復号器、２０５…制御部、２０６…信号処理部、２０７…グラフィック処理部、２０８…音声処理部、２０９…ＯＳＤ信号生成部、２１０…映像処理部、２１１…表示装置、２１３…音声出力装置、２２０…操作部、２５０…音声／映像出力制御機能、２７０…記録装置。
【図１】
2010157818.tif 000003
【図２】
2010157818.tif 000004
【図３】
2010157818.tif 000005
【図４】
2010157818.tif 000006
【図５】
2010157818.tif 000007
【図６】
2010157818.tif 000008
【図７】
2010157818.tif 000009
【図８】
2010157818.tif 000010
【図９】
2010157818.tif 000011
【図１０】
2010157818.tif 000012
【図１１】
2010157818.tif 000013
【図１２】
2010157818.tif 000014
【図１３】
2010157818.tif 000015
【図１４】
2010157818.tif 000016
【図１５】
2010157818.tif 000017
【図１６】
2010157818.tif 000018